(57)【特許請求の範囲】
【請求項１】
薬剤選択供給装置内の薬剤収容容器支持体(2) に装着され且つ薬剤収納部(7) が設けられた薬剤収容容器本体(1) と、前記薬剤収容容器支持体(2) 又は該薬剤収容容器本体(1) の少なくとも何れか一方に設けられた回転駆動装置(30)と、該回転駆動装置(30)を介して略鉛直方向に設けられた軸体(11)の鉛直軸回りに回転可能で且つ前記薬剤収納部(7) の底部(6) 側に設けられた略筒状の薬剤撹拌ローラー体(3) と、該薬剤撹拌ローラー体(3) の外周側に複数形成された排出用案内路(23)とが具備された薬剤収容容器に於いて、
前記薬剤撹拌ローラー体(3) は、前記軸体(11)に固定された中子体(15)と、前記排出用案内路(23)の設けられた筒体(12)とを備え、
前記中子体(15)及び筒体(12)は、前記回転駆動装置により夫々異なる速度で回転されることを特徴とする錠剤等の薬剤選択供給装置用の薬剤収容容器。
【請求項２】
薬剤選択供給装置内の薬剤収容容器支持体(2) に装着され且つ薬剤収納部(7) が設けられた薬剤収容容器本体(1) と、前記薬剤収容容器支持体(2) 又は該薬剤収容容器本体(1) の少なくとも何れか一方に設けられた回転駆動装置(30)と、該回転駆動装置(30)を介して略鉛直方向に設けられた軸体(11)の鉛直軸回りに回転可能で且つ前記薬剤収納部(7) の底部(6) 側に設けられた略筒状の薬剤撹拌ローラー体(3) と、該薬剤撹拌ローラー体(3) の外周側に複数形成された排出用案内路(23)とが具備された薬剤収容容器に於いて、
前記薬剤撹拌ローラー体(3) は、外周側に前記排出用案内路(23)が形成された筒体(12)であって、前記軸体(11)に外遊嵌された挿通管(20)を介して前記回転駆動装置により該軸体(11)の鉛直軸回りに回転される筒体(12)と、
前記筒体(12)の上面側において、前記軸体(12)の上端に固定された中子体(15)であって、前記回転駆動装置により該軸体(11)と共に前記鉛直軸回りに回転される中子体(15)と備えていることを特徴とする錠剤等の薬剤選択供給装置用の薬剤収容容器。
【発明の詳細な説明】
【０００１】
【発明の属する技術分野】
本発明は、薬剤収容容器、更に詳しくは、主として病院等に設置される薬剤選択供給装置、即ち錠剤等の薬剤を患者毎の処方箋に従って適宜選択して取り出すための装置に組み込んで用いられる錠剤等の薬剤選択供給装置用の薬剤収容容器に関する。
【０００２】
【従来の技術】
従来、薬剤選択供給装置に組み込まれる錠剤等の薬剤収容容器としては、以下に示すものが一般的に存在する。
【０００３】
即ち、図５に示すように、錠剤等の薬剤40の薬剤収容容器41の底板42上を一方向に回転駆動する円形ローラー43の上面部に、中心から外周に向けて下り勾配をもって傾斜するテーパ面44が設けられて、円形ローラー43の上部が円錐型に形成されてなるものである。かかるテーパ面44を有する円形ローラー43が回転することによって、収納された錠剤等の薬剤40が、撹拌されてテーパ面44を滑りながらその円形ローラー43の外周部に設けられた排出用案内路45に導かれ、図中矢印方向に所定量排出する（矢印で示す）構成である（例えば、特許文献１参照）。
又、前記テーパ面が外周の一端側から他端側へ傾斜するように構成した薬剤収容容器も存在する（例えば、特許文献２参照）。
【０００４】
しかしながら、上記従来の様な薬剤収容容器41に於いては、薬剤40を投入時、つまり薬剤収容容器41に薬剤40が多量に収納された時、薬剤40は、前記テーパ面44に沿って円形ローラー43の上部外周側46に集積し、薬剤40の自重及び形状等によってブリッジング（自然に起こる薬剤の固まり）を生じることとなる。
一方、円形ローラー43が回転しても、円形ローラー43が単一部材として一体的に形成されているので、一旦生じたブリッジングを崩すことは容易ではなく、薬剤40が排出用案内路45に導入できないという問題点があった。
【０００５】
【特許文献１】
実開昭５３−１０３２８１号公報
【特許文献２】
特開平４−２７９４２３号公報
【０００６】
【発明が解決しようとする課題】
而して、本発明は上記の問題を解決するものであり、薬剤収容容器に収納される薬剤のブリッジング化を防止すると共に、より確実に且つ迅速に排出用案内路に薬剤を導入することができる錠剤等の薬剤収容容器を提供することを課題とするものである。
【０００７】
【課題を解決するための手段】
本発明は、上記課題に鑑みてなされたもので、薬剤選択供給装置内の薬剤収容容器支持体(2) に装着され且つ薬剤収納部(7) が設けられた薬剤収容容器本体(1) と、前記薬剤収容容器支持体(2) 又は該薬剤収容容器本体(1) の少なくとも何れか一方に設けられた回転駆動装置(30)と、該回転駆動装置(30)を介して略鉛直方向に設けられた軸体(11)の鉛直軸回りに回転可能で且つ前記薬剤収納部(7) の底部(6) 側に設けられた略筒状の薬剤撹拌ローラー体(3) と、該薬剤撹拌ローラー体(3) の外周側に複数形成された排出用案内路(23)とが具備された薬剤収容容器に於いて、前記薬剤撹拌ローラー体(3) は、前記軸体(11)に固定された中子体(15)と、前記排出用案内路(23)の設けられた筒体(12)とを備え、前記中子体(15)及び筒体(12)は、前記回転駆動装置により夫々異なる速度で回転される錠剤等の薬剤選択供給装置用の薬剤収容容器を提供する。
【０００８】
さらに、本発明は、薬剤選択供給装置内の薬剤収容容器支持体(2) に装着され且つ薬剤収納部(7) が設けられた薬剤収容容器本体(1) と、前記薬剤収容容器支持体(2) 又は該薬剤収容容器本体(1) の少なくとも何れか一方に設けられた回転駆動装置(30)と、該回転駆動装置(30)を介して略鉛直方向に設けられた軸体(11)の鉛直軸回りに回転可能で且つ前記薬剤収納部(7) の底部(6) 側に設けられた略筒状の薬剤撹拌ローラー体(3) と、該薬剤撹拌ローラー体(3) の外周側に複数形成された排出用案内路(23)とが具備された薬剤収容容器に於いて、前記薬剤撹拌ローラー体(3) は、外周側に前記排出用案内路(23)が形成された筒体(12)であって、前記軸体(11)に外遊嵌された挿通管(20)を介して前記回転駆動装置により該軸体(11)の鉛直軸回りに回転される筒体(12)と、前記筒体(12)の上面側において、前記軸体(12)の上端に固定された中子体(15)であって、前記回転駆動装置により該軸体(11)と共に前記鉛直軸回りに回転される中子体(15)と備えた錠剤等の薬剤選択供給装置用の薬剤収容容器を提供する。
【０００９】
【発明の実施の形態】
以下、本発明の一実施の形態を図面に従って説明する。図１及び図２に於いて、1 は薬剤選択供給装置内の薬剤収容容器支持体2 に装着され、且つ収納されるカプセル等の薬剤を所要量ずつ送出可能な薬剤収容容器本体を示し、上部に薬剤投入口1aとそれを開閉すべく蓋1bが設けられ、外形は平面視略扇形状に形成されている。
【００１０】
前記薬剤収容容器本体1 内の略中央部には、薬剤撹拌ローラー体3 が設けられ、しかもその薬剤撹拌ローラー体3 方向に薬剤収容容器本体1 の一壁面4 とそれに対向する他壁面5 から下向き傾斜で一体的に底部6 が延出されて薬剤収納部7が形成されている。
【００１１】
前記薬剤撹拌ローラー体3 は、薬剤収容容器本体1 の下方に仕切板8 を介して設けられたギア収納部9 内の支持体10上に立設された軸芯11に遊嵌されてなる略円筒形状の筒体12と前記軸芯11の上端13側に形成された雄螺子部14に螺合されて固定されてなる平面視略円形状の中子体15とからなる。かかる構成より薬剤撹拌ローラー体3 は、薬剤収容容器本体1 の装着される薬剤収容容器支持体2 に対して略鉛直に設けられ、その鉛直軸、つまり前記軸芯11を回転軸として回転する構成である。
【００１２】
薬剤撹拌ローラー体3 に関して更に詳しくは、前記筒体12の円形の上面側には中子体15が嵌合すべく平面視略円形・断面視略凹状の切欠部16が形成され、且つ、その下面側には薬剤収容容器本体1 の仕切板8 から上方へ突出された筒状の支持部17に嵌入すべく略筒状の切欠部18が形成されてなり、筒体12の略中心部には孔19が穿通されている。さらに、前記軸芯11に外遊嵌され、且つ支持部17に内遊嵌された挿通管20に前記筒体12の孔19が外嵌合されることにより筒体12は軸芯11を中心として薬剤収容容器支持体2 に対して回転自在に軸支されている。尚、前記挿通管20の下方は、ギア収納部9 に突出され、且つその先端側には大歯車21が固着されている。
【００１３】
また、図３に示すように、前記筒体12の外周側には長楕円型カプセルの薬剤22が嵌入し縦列すべく排出用案内路23が等間隔で１０ケ所形成されている。尚、前記排出用案内路23の上部両側面23a は、図２に示すように薬剤22が排出用案内路23に容易に進入すべくテーパ状に形成されている。
【００１４】
一方、中子体15の上面部は、略円筒を斜めに切断することにより一周端側が高い高部15a と他周端側が低い低部15b を有する傾斜部24として形成され、その傾斜部24が薬剤収納部7 側に位置すべく前記筒体12の切欠部16に嵌合させ軸芯11の上端13側に固定されてなる。またギア収納部9 に突出された軸芯11の下端25側には小歯車26が固着されている。
【００１５】
ギア収納部9 内の支持体10には、軸芯11と同一方向に駆動伝達軸27が軸支されてなり、その上部側には前記筒体12の挿通管20に固着された大歯車21と軸芯11に固着された小歯車26に夫々噛合する大小２連の歯車28が固着され、且つその下部側には装着される薬剤選択供給装置内の薬剤収容容器支持体2 の回転駆動装置30に接続すべく接続部31が設けられている。
【００１６】
32は薬剤収容容器本体1 の仕切板8 に開口された薬剤供給口を示し、その薬剤供給口32には、薬剤収容容器支持体2 に設けられた薬剤排出口33に連通すべく薬剤流通路34が設けられている。
【００１７】
35は薬剤収容容器本体1 の一壁面4 に着脱自在に固定された断面視略Ｌ字状の係止部35a を有する係止体を示し、その係止部35a と仕切板8 との距離が薬剤22の長さと略同長になるべく前記一壁面4 に穿設された開口部36に係止部35a が嵌入されて一壁面4 の外側にボルト37にて固定されている。尚、係止体35は、ボルト37の締緩により上下動可能な構成であるため、例えば、収納される薬剤22が変更され、薬剤の長さが短くなった場合、ボルト37を緩めて係止体35を下方に修正することができ、種々の薬剤に対応できる。
【００１８】
上記構成からなる錠剤等の薬剤収容容器は、薬剤収納部7 内で回転する薬剤撹拌ローラー体3 の中子体15に一周端側が高い高部15a と他周端側が低い低部15bとが形成された傾斜部24が形成されていることにより、収納された薬剤22はその自重により傾斜部24の低部15b 側に滑り落ち排出用案内路23に導入されることとなる。そして、中子体15が軸芯11の回転に従って回転すると、傾斜部24の軌跡からその高部15a 側が低部15b 側に集積した薬剤22を撹拌するので、低部15b 側には薬剤22がブリッジング化することもなく、排出用案内路23に確実に且つ迅速に導入され縦列することとなる。
【００１９】
さらに、大歯車21及び小歯車26又は大小２連の歯車28を適宜変更することによって、軸芯11に固定された中子体15と、排出用案内路23の設けられた筒体12とを異なる回転速度を以て夫々回転させるならば薬剤22を排出用案内路23に迅速且つ均等に導入することができる。即ち、中子体15と筒体12とが同速度で回転する場合は、中子体15の低部15b 側が、筒体12の外周側に形成された１０ケ所の排出用案内路23のうち一の排出用案内路23と常に会合した状態で回転するが、前記のように夫々異なる速度で回転する場合は、中子体15の低部15b 側が、全ての排出用案内路23に会合することなる。従って、中子体15の傾斜部24を低部15b 側に滑り落ちながら排出用案内路23に導入される薬剤22は、全ての排出用案内路23に迅速且つ均等に導入されることとなるのである。
【００２０】
尚、上記実施の形態に於いて、薬剤収容容器本体1 の上部に薬剤投入口1aが設けられているが、必ずしも薬剤投入口1aは薬剤収容容器本体1 の上部に設けなければならないわけではなく、図４に示すように薬剤収容容器本体1 の他壁面5 に設けてもよい。かかる他壁面5 とは、薬剤収容容器が薬剤選択供給装置内の薬剤収容容器支持体2 に多段に装着されたときに、その薬剤選択供給装置の外側2aに露出する面を指す。このように他壁面5 に薬剤投入口1aを設けると、錠剤等の薬剤を追加・変更等する場合に於いて、薬剤収容容器支持体2 から薬剤収容容器を外すことなく、薬剤収容容器本体1 の蓋1bを開閉するだけで薬剤を投入することができるという利点がある。
【００２１】
さらに、上記実施の形態に於いて、薬剤撹拌ローラー体3 の中子体15及び筒体12は、薬剤収容容器支持体2 に略鉛直に設けられた軸心11の回りを回転するだけであったが、それに加えて、中子体15若しくは筒体12又はそれら双方（薬剤撹拌ローラー体3 ）が上下動してもよい。このように、少なくとも中子体15又は筒体12の何れか一方が上下動する構成であれば、薬剤22は上下方向にも撹拌されることによって、より確実に且つ迅速に排出用案内路23に薬剤22が導入されるという効果がある。
【００２２】
また、上記実施の形態に於いて、回転駆動装置30は薬剤収容容器支持体2 に設けられてなるが、必ずしも、かかる構成でなければならないわけではなく、例えば回転駆動装置30が薬剤収容容器本体1 に設けられているものであってもよいし、薬剤収容容器支持体2 及び薬剤収容容器本体1 双方に設けられていてもよい。
【００２３】
また、上記実施の形態に於いて、薬剤22は長楕円型カプセルを例示したが、薬剤22は必ずしも長楕円型カプセルに限定されず、薄円筒型、球型、楕円型等の錠剤であってもよい。いわゆる錠剤といわれる通常の状態で一定形状を有する薬剤であればよい。従って、錠剤の形状が異なれば、上記実施の形態の排出用案内路23等の形状も適宜変更しなければならないことは言うまでもなく、又本発明に係る薬剤収容容器は、その使用態様に於いて適宜設計変更されて使用されるものである。
【００２４】
【発明の効果】
叙上の様に、本発明に係る薬剤収容容器によれば、中子体の周縁部が全ての排出用案内路に会合することとなり、従って、中子体によって撹拌される錠剤等の薬剤は、全ての排出用案内路に迅速且つ均等に導入されることとなる。
【図面の簡単な説明】
【図１】本発明の薬剤収容容器とそれを装着する薬剤選択供給装置内の薬剤収容容器支持体の一部を示す斜視図。
【図２】図１のＡ−Ａ線断面図。
【図３】図１のＢ−Ｂ線断面図。
【図４】本発明の薬剤収容容器の他実施の形態を示す斜視図。
【図５】従来の薬剤収容容器の断面図。
【符号の説明】
1 …薬剤収容容器本体
1a…薬剤投入口
2 …薬剤収容容器支持体
3 …薬剤撹拌ローラー体
6 …底部
7 …薬剤収納部
12…筒体
15…中子体
15a …一周端
15b …他周端
22…薬剤
23…排出用案内路
24…傾斜部
30…回転駆動装置
【図１】
0003679079.tif 000002
【図２】
0003679079.tif 000003
【図３】
0003679079.tif 000004
【図４】
0003679079.tif 000005
【図５】
0003679079.tif 000006